(57)【特許請求の範囲】
【請求項１】
信号伝送方法であって、第１の信号及び第２の信号が同時に動作するとともにアンテナを共有し、前記第１の信号及び前記第２の信号が共有帯域を有し、無線周波数フロントエンドが前記アンテナを備えるとともに、前記アンテナが前記第１の信号及び前記第２の信号の混合信号を受信して送信するように構成され、当該方法が、
制御装置により、前記第１の信号の優先度が前記第２の信号の優先度より高いことを判定するステップと、
前記第１の信号及び前記第２の信号が同時に動作する場合に、より高い優先度を有する前記第１の信号の信号状態がサービス条件を満たしているかどうかを判定するステップと、
もし前記サービス条件が満たされていないならば、前記アンテナにより受信された、前記第１の信号及び前記第２の信号の前記混合信号を、単極双投スイッチを使用することにより、前記第１の信号の処理バックエンドに導くステップ、又は、
もし前記サービス条件が満たされているならば、前記アンテナにより受信された、前記第１の信号及び前記第２の信号の前記混合信号を、前記単極双投スイッチを使用することにより、パワースプリッタに導くとともに、前記第１の信号及び前記第２の信号の前記混合信号を、前記パワースプリッタを使用することにより、前記第１の信号の処理バックエンド及び前記第２の信号の処理バックエンドに対して別々に転送するステップとを含む、方法。
【請求項２】
より高い優先度を有する前記第１の信号の信号状態がサービス条件を満たしているかどうかを判定する前記ステップが、下記の、
前記第１の信号が受信タイムスロット内にあるかどうか、並びに、前記第１の信号の受信信号強度が第１のしきい値より小さいかどうか、及び／又は前記第１の信号の送信信号強度が第２のしきい値より大きいかどうかを判定するステップと、
もし前記第１の信号の前記受信信号強度が前記第１のしきい値より小さいか、及び／若しくは前記第１の信号の前記送信信号強度が前記第２のしきい値より大きく、そして前記第１の信号が前記受信タイムスロット内にあるならば、より高い優先度を有する前記第１の信号の前記信号状態が前記サービス条件を満たしていないと判定するステップ、又は、
もし前記第１の信号の前記受信信号強度が前記第１のしきい値以上であるか、及び／若しくは前記第１の信号の前記送信信号強度が前記第２のしきい値以下であるか、さもなければ、前記第１の信号が前記受信タイムスロット内にないならば、より高い優先度を有する前記第１の信号の前記信号状態が前記サービス条件を満たしていると判定するステップとを含む、請求項１に記載の方法。
【請求項３】
より高い優先度を有する前記第１の信号の信号状態がサービス条件を満たしているかどうかを判定する前記ステップが、下記の、
前記第１の信号の受信信号強度が第１のしきい値より小さいかどうか、及び／又は前記第１の信号の送信信号強度が第２のしきい値より大きいかどうかを判定するステップと、
もし前記第１の信号の前記受信信号強度が前記第１のしきい値より小さいか、及び／若しくは前記第１の信号の前記送信信号強度が前記第２のしきい値より大きいならば、より高い優先度を有する前記第１の信号の前記信号状態が前記サービス条件を満たしていないと判定するステップ、又は、
もし前記第１の信号の前記受信信号強度が前記第１のしきい値以上であるか、及び／若しくは前記第１の信号の前記送信信号強度が前記第２のしきい値以下であるならば、より高い優先度を有する前記第１の信号の前記信号状態が前記サービス条件を満たしていると判定するステップとを含む、請求項１に記載の方法。
【請求項４】
より高い優先度を有する前記第１の信号の信号状態がサービス条件を満たしているかどうかを判定する前記ステップのあとに、当該方法が、下記の、
もしより高い優先度を有する前記第１の信号の前記信号状態が前記サービス条件を満たしていないならば、論理制御インタフェースを使用することにより出力される第１の電圧を使用することにより、前記単極双投スイッチの第１端を導通するように制御するステップ、又は、
もしより高い優先度を有する前記第１の信号の前記信号状態が前記サービス条件を満たしているならば、前記論理制御インタフェースを使用することにより出力される第２の電圧を使用することにより、前記単極双投スイッチの第２端を導通するように制御するステップを更に含む、請求項１又は２又は３に記載の方法。
【請求項５】
制御装置であって、第１の信号及び第２の信号が同時に動作するとともにアンテナを共有し、前記第１の信号及び前記第２の信号が共有帯域を有し、無線周波数フロントエンドが前記アンテナを備えるとともに、前記アンテナが前記第１の信号及び前記第２の信号の混合信号を受信して送信するように構成され、当該制御装置が、
前記第１の信号の優先度が前記第２の信号の優先度より高いことを判定するように構成される判定ユニットと、
前記第１の信号及び前記第２の信号が同時に動作する場合に、より高い優先度を有する前記第１の信号の信号状態がサービス条件を満たしているかどうかを判定するように構成される判断ユニットと、
前記サービス条件が満たされていない場合に、前記アンテナにより受信された、前記第１の信号及び前記第２の信号の前記混合信号を、単極双投スイッチを使用することにより、前記第１の信号の処理バックエンドに導くように構成される第１の実行ユニットと、
前記サービス条件が満たされている場合に、前記アンテナにより受信された、前記第１の信号及び前記第２の信号の前記混合信号を、前記単極双投スイッチを使用することにより、パワースプリッタに導くとともに、前記第１の信号及び前記第２の信号の前記混合信号を、前記パワースプリッタを使用することにより、前記第１の信号の前記処理バックエンド及び前記第２の信号の処理バックエンドに対して別々に転送するように構成される第２の実行ユニットとを備える、制御装置。
【請求項６】
前記判断ユニットが、前記第１の信号が受信タイムスロット内にあるかどうか、並びに、より高い優先度を有する前記第１の信号の受信信号強度が第１のしきい値より小さいかどうか、及び／又は前記第１の信号の送信信号強度が第２のしきい値より大きいかどうかを判定するように構成される第１の判断サブユニットと、
もし前記第１の信号の前記受信信号強度が前記第１のしきい値より小さいか、及び／若しくは前記第１の信号の前記送信信号強度が前記第２のしきい値より大きく、そして前記第１の信号が前記受信タイムスロット内にあるならば、より高い優先度を有する前記第１の信号の前記信号状態が前記サービス条件を満たしていないと判定するように構成される第１の判定サブユニットと、
もし前記第１の信号の前記受信信号強度が前記第１のしきい値以上であるか、及び／若しくは前記第１の信号の前記送信信号強度が前記第２のしきい値以下であるか、さもなければ、前記第１の信号が前記受信タイムスロット内にないならば、より高い優先度を有する前記第１の信号の前記信号状態が前記サービス条件を満たしていると判定するように構成される第２の判定サブユニットとを備える、請求項５に記載の制御装置。
【請求項７】
前記判断ユニットが、
前記第１の信号の受信信号強度が第１のしきい値より小さいかどうか、及び／又は前記第１の信号の送信信号強度が第２のしきい値より大きいかどうかを判定するように構成される第２の判断サブユニットと、
もし前記第１の信号の前記受信信号強度が前記第１のしきい値より小さいか、及び／若しくは前記第１の信号の前記送信信号強度が前記第２のしきい値より大きいならば、より高い優先度を有する前記第１の信号の前記信号状態が前記サービス条件を満たしていないと判定するように構成される第３の判定サブユニットと、
もし前記第１の信号の前記受信信号強度が前記第１のしきい値以上であるか、及び／若しくは前記第１の信号の前記送信信号強度が前記第２のしきい値以下であるならば、より高い優先度を有する前記第１の信号の前記信号状態が前記サービス条件を満たしていると判定するように構成される第４の判定サブユニットとを備える、請求項５に記載の制御装置。
【請求項８】
前記制御装置が、
より高い優先度を有する前記第１の信号の前記信号状態が前記サービス条件を満たしていない場合に、論理制御インタフェースを使用することにより出力される第１の電圧を使用することにより、前記単極双投スイッチの第１端を導通するように制御するように構成される第１の制御ユニットと、
より高い優先度を有する前記第１の信号の前記信号状態が前記サービス条件を満たしている場合に、前記論理制御インタフェースを使用することにより出力される第２の電圧を使用することにより、前記単極双投スイッチの第２端を導通するように制御するように構成される第２の制御ユニットとを更に備える、請求項５又は６又は７に記載の制御装置。
【請求項９】
信号伝送システムであって、第１の信号及び第２の信号が共有帯域を有し、当該システムが、制御装置と、単極双投スイッチと、パワースプリッタと、無線周波数フロントエンドと、前記第１の信号の処理バックエンドと、前記第２の信号の処理バックエンドとを備え、
前記無線周波数フロントエンドがアンテナを備え、
前記単極双投スイッチの共通端が前記アンテナに接続され、前記単極双投スイッチの第１端が前記第１の信号の前記処理バックエンドに接続され、前記単極双投スイッチの第２端が前記パワースプリッタの入力端に接続され、
前記パワースプリッタの第１の出力端が前記第１の信号の前記処理バックエンドに接続され、前記パワースプリッタの第２の出力端が前記第２の信号の前記処理バックエンドに接続され、
前記アンテナが、前記第１の信号及び前記第２の信号の混合信号を受信して送信するように構成され、
前記制御装置が、下記の、
前記第１の信号の優先度が前記第２の信号の優先度より高いことを判定する手順と、
前記第１の信号及び前記第２の信号が同時に動作する場合に、より高い優先度を有する前記第１の信号の信号状態がサービス条件を満たしているかどうかを判定する手順と、
前記サービス条件が満たされていない場合に、前記単極双投スイッチの前記第１端を導通するように制御する手順と、
前記サービス条件が満たされている場合に、前記単極双投スイッチの前記第２端を導通するように制御する手順とを実行するように構成され、
前記パワースプリッタが、前記パワースプリッタの前記入力端を使用することにより、前記アンテナにより送信された、前記第１の信号及び前記第２の信号の前記混合信号を受信するとともに、前記の受信された、前記第１の信号及び前記第２の信号の混合信号を、前記第１の信号の前記処理バックエンド及び前記第２の信号の前記処理バックエンドに対して別々に転送するように構成され、
前記第１の信号の前記処理バックエンド又は前記第２の信号の前記処理バックエンドが、前記アンテナにより送信された、前記第１の信号及び前記第２の信号の前記混合信号を処理するように構成される、システム。
【請求項１０】
前記制御装置が、下記の、
前記第１の信号が受信タイムスロット内にあるかどうか、並びに、より高い優先度を有する前記第１の信号の受信信号強度が第１のしきい値より小さいかどうか、及び／又は前記第１の信号の送信信号強度が第２のしきい値より大きいかどうかを判定する手順と、
もし前記第１の信号の前記受信信号強度が前記第１のしきい値より小さいか、及び／若しくは前記第１の信号の前記送信信号強度が前記第２のしきい値より大きく、そして前記第１の信号が前記受信タイムスロット内にあるならば、より高い優先度を有する前記第１の信号の前記信号状態が前記サービス条件を満たしていないと判定する手順、又は、
もし前記第１の信号の前記受信信号強度が前記第１のしきい値以上であるか、及び／若しくは前記第１の信号の前記送信信号強度が前記第２のしきい値以下であるか、さもなければ、前記第１の信号が前記受信タイムスロット内にないならば、より高い優先度を有する前記第１の信号の前記信号状態が前記サービス条件を満たしていると判定する手順とを実行するように構成される、請求項９に記載のシステム。
【請求項１１】
前記制御装置が、下記の、
前記第１の信号の受信信号強度が第１のしきい値より小さいかどうか、及び／又は前記第１の信号の送信信号強度が第２のしきい値より大きいかどうかを判定する手順と、
前記第１の信号の前記受信信号強度が前記第１のしきい値より小さいか、及び／若しくは前記第１の信号の前記送信信号強度が前記第２のしきい値より大きい場合に、より高い優先度を有する前記第１の信号の前記信号状態が前記サービス条件を満たしていないと判定する手順、又は、
前記第１の信号の前記受信信号強度が前記第１のしきい値以上であるか、及び／若しくは前記第１の信号の前記送信信号強度が前記第２のしきい値以下である場合に、より高い優先度を有する前記第１の信号の前記信号状態が前記サービス条件を満たしていると判定する手順とを実行するように構成される、請求項９に記載のシステム。
【請求項１２】
前記制御装置が、より高い優先度を有する前記第１の信号の前記信号状態が前記サービス条件を満たしていない場合に、論理制御インタフェースを使用することにより前記単極双投スイッチに対して出力される第１の電圧を使用することにより、前記単極双投スイッチの前記第１端を導通するように更に構成されるとともに、
前記制御装置が、より高い優先度を有する前記第１の信号の前記信号状態が前記サービス条件を満たしている場合に、前記論理制御インタフェースを使用することにより前記単極双投スイッチに対して出力される第２の電圧を使用することにより、前記単極双投スイッチの前記第２端を導通するように更に構成される、請求項９又は１０又は１１に記載のシステム。
【発明の詳細な説明】
【技術分野】
【０００１】
本発明は、通信分野に関し、特に、信号伝送方法及びシステム、並びに制御装置に関する。
【背景技術】
【０００２】
現在、大部分の通信装置は、ＬＴＥの高速データとＬＴＥの音声が同時に動作することを実施するために、同時のグローバルシステムフォーモバイルコミュニケーションズ（ＧＳＭ、Global  System  For  Mobile  Communications）及びロングタームエボリューション（ＬＴＥ、Long  Term  Evolution）（ＳＧＬＴＥ、Simultaneous  GSM  and  LTE）、そして同時の音声及びＬＴＥ（ＳＶＬＴＥ、Simultaneous  Voice  and  LTE）のような技術を使用する。
【０００３】
一般に、一例として、携帯電話はＳＧＬＴＥ技術をサポートするとともに、携帯電話は少なくとも２つのアンテナを必要とし、ここで、アンテナのうちの１つは、ＬＴＥとＧＳＭの両方により使用される必要がある。したがって、ダイプレクサ（Diplexer）技術が、ＧＳＭ信号とＬＴＥ信号を同じアンテナに集めるために使用される必要がある。中国移動（China  Mobile）により必要とされるＬＴＥ帯域幅及びＧＳＭ帯域幅は、それぞれ、ＬＴＥバンド３９（ＵＬ／ＤＬ：１８８０ＭＨｚ〜１９２０ＭＨｚ）、及びＧＳＭ１８００（ＵＬ：１７１０．２ＭＨｚ〜１７８４．８ＭＨｚ、ＤＬ：１８０５．２ＭＨｚ〜１８７９．８ＭＨｚ）である。これから分かるように、２つの信号の動作帯域が非常に接近しており、したがって、同じアンテナから提供される共有帯域を有する２つの信号は、従来のダイプレクサ（Diplexer）技術を使用することにより、ＧＳＭ及びＬＴＥのバックエンドに対して適切に別々に送信されることができない。
【発明の概要】
【０００４】
本発明の実施例は、信号伝送方法及びシステム、並びに制御装置を提供し、それは、２つの信号が同時に動作する場合に、２つの信号が共有帯域を有するためにアンテナを共有することができない、という問題を解決する。
【０００５】
本発明の実施例の第１の態様は、信号伝送方法であって、第１の信号及び第２の信号が同時に動作するとともにアンテナを共有し、前記第１の信号及び前記第２の信号が共有帯域を有し、無線周波数フロントエンドが前記アンテナを含むとともに、前記アンテナが前記第１の信号及び前記第２の信号の混合信号を受信して送信するように構成され、当該方法が、制御装置により、前記第１の信号の優先度が前記第２の信号の優先度より高いことを判定するステップと、前記第１の信号及び前記第２の信号が同時に動作する場合に、より高い優先度を有する前記第１の信号の信号状態がサービス条件を満たしているかどうかを判定するステップと、もし前記サービス条件が満たされていないならば、前記アンテナにより受信された、前記第１の信号及び前記第２の信号の前記混合信号を、単極双投スイッチを使用することにより、前記第１の信号の処理バックエンドに導くステップ、又は、もし前記サービス条件が満たされているならば、前記アンテナにより受信された、前記第１の信号及び前記第２の信号の前記混合信号を、前記単極双投スイッチを使用することにより、パワースプリッタに導くとともに、前記第１の信号及び前記第２の信号の前記混合信号を、前記パワースプリッタを使用することにより、前記第１の信号の処理バックエンド及び前記第２の信号の処理バックエンドに対して別々に転送するステップとを含む、方法を提供する。
【０００６】
本発明の実施例の第１の態様に関連して、本発明の実施例の第１の態様の第１の実施方法において、より高い優先度を有する前記第１の信号の信号状態がサービス条件を満たしているかどうかを判定する前記ステップは、下記の、前記第１の信号が受信タイムスロット内にあるかどうか、並びに、前記第１の信号の受信信号強度が第１のしきい値より小さいかどうか、及び／又は送信信号強度が第２のしきい値より大きいかどうかを判定するステップと、もし前記第１の信号の前記受信信号強度が前記第１のしきい値より小さいか、及び／若しくは前記送信信号強度が前記第２のしきい値より大きく、そして前記第１の信号が前記受信タイムスロット内にあるならば、より高い優先度を有する前記第１の信号の前記信号状態が前記サービス条件を満たしていないと判定するステップ、又は、もし前記第１の信号の前記受信信号強度が前記第１のしきい値以上であるか、及び／若しくは前記送信信号強度が前記第２のしきい値以下であるか、さもなければ、前記第１の信号が前記受信タイムスロット内にないならば、より高い優先度を有する前記第１の信号の前記信号状態が前記サービス条件を満たしていると判定するステップとを具体的に含む。
【０００７】
本発明の実施例の第１の態様に関連して、本発明の実施例の第１の態様の第２の実施方法において、より高い優先度を有する前記第１の信号の信号状態がサービス条件を満たしているかどうかを判定する前記ステップは、下記の、前記第１の信号の受信信号強度が第１のしきい値より小さいかどうか、及び／又は送信信号強度が第２のしきい値より大きいかどうかを判定するステップと、もし前記第１の信号の前記受信信号強度が前記第１のしきい値より小さいか、及び／若しくは前記送信信号強度が前記第２のしきい値より大きいならば、より高い優先度を有する前記第１の信号の前記信号状態が前記サービス条件を満たしていないと判定するステップ、又は、もし前記第１の信号の前記受信信号強度が前記第１のしきい値以上であるか、及び／若しくは前記送信信号強度が前記第２のしきい値以下であるならば、より高い優先度を有する前記第１の信号の前記信号状態が前記サービス条件を満たしていると判定するステップとを具体的に含む。
【０００８】
本発明の実施例の第１の態様、又は第１の態様の第１の実施方法、又は第１の態様の第２の実施方法に関連して、本発明の実施例の第１の態様の第３の実施方法において、より高い優先度を有する前記第１の信号の信号状態がサービス条件を満たしているかどうかを判定する前記ステップのあとに、下記の、もしより高い優先度を有する前記第１の信号の前記信号状態が前記サービス条件を満たしていないならば、論理制御インタフェースを使用することにより出力される第１の電圧を使用することにより、前記単極双投スイッチの第１端を導通するように制御するステップ、又は、もしより高い優先度を有する前記第１の信号の前記信号状態が前記サービス条件を満たしているならば、前記論理制御インタフェースを使用することにより出力される第２の電圧を使用することにより、前記単極双投スイッチの第２端を導通するように制御するステップが具体的に含まれる。
【０００９】
本発明の実施例の第２の態様は、制御装置であって、第１の信号及び第２の信号が同時に動作するとともにアンテナを共有し、前記第１の信号及び前記第２の信号が共有帯域を有し、無線周波数フロントエンドが前記アンテナを含むとともに、前記アンテナが前記第１の信号及び前記第２の信号の混合信号を受信して送信するように構成され、当該制御装置が、前記第１の信号の優先度が前記第２の信号の優先度より高いことを判定するように構成される判定ユニットと、前記第１の信号及び前記第２の信号が同時に動作する場合に、より高い優先度を有する前記第１の信号の信号状態がサービス条件を満たしているかどうかを判定するように構成される判断ユニットと、前記サービス条件が満たされていない場合に、前記アンテナにより受信された、前記第１の信号及び前記第２の信号の前記混合信号を、単極双投スイッチを使用することにより、前記第１の信号の処理バックエンドに導くように構成される第１の実行ユニットと、前記サービス条件が満たされている場合に、前記アンテナにより受信された、前記第１の信号及び前記第２の信号の前記混合信号を、前記単極双投スイッチを使用することにより、パワースプリッタに導くとともに、前記第１の信号及び前記第２の信号の前記混合信号を、前記パワースプリッタを使用することにより、前記第１の信号の前記処理バックエンド及び前記第２の信号の処理バックエンドに対して別々に転送するように構成される第２の実行ユニットとを含む、制御装置を提供する。
【００１０】
本発明の実施例の第２の態様に関連して、本発明の実施例の第２の態様の第１の実施方法において、前記判断ユニットは、前記第１の信号が受信タイムスロット内にあるかどうか、並びに、より高い優先度を有する前記第１の信号の受信信号強度が第１のしきい値より小さいかどうか、及び／又は送信信号強度が第２のしきい値より大きいかどうかを判定するように構成される第１の判断サブユニットと、もし前記第１の信号の前記受信信号強度が前記第１のしきい値より小さいか、及び／若しくは前記送信信号強度が前記第２のしきい値より大きく、そして前記第１の信号が前記受信タイムスロット内にあるならば、より高い優先度を有する前記第１の信号の前記信号状態が前記サービス条件を満たしていないと判定するように構成される第１の判定サブユニットと、もし前記第１の信号の前記受信信号強度が前記第１のしきい値以上であるか、及び／若しくは前記送信信号強度が前記第２のしきい値以下であるか、さもなければ、前記第１の信号が前記受信タイムスロット内にないならば、より高い優先度を有する前記第１の信号の前記信号状態が前記サービス条件を満たしていると判定するように構成される第２の判定サブユニットとを含む。
【００１１】
本発明の実施例の第２の態様に関連して、本発明の実施例の第２の態様の第２の実施方法において、前記判断ユニットは、前記第１の信号の受信信号強度が第１のしきい値より小さいかどうか、及び／又は送信信号強度が第２のしきい値より大きいかどうかを判定するように構成される第２の判断サブユニットと、もし前記第１の信号の前記受信信号強度が前記第１のしきい値より小さいか、及び／若しくは前記送信信号強度が前記第２のしきい値より大きいならば、より高い優先度を有する前記第１の信号の前記信号状態が前記サービス条件を満たしていないと判定するように構成される第３の判定サブユニットと、もし前記第１の信号の前記受信信号強度が前記第１のしきい値以上であるか、及び／若しくは前記送信信号強度が前記第２のしきい値以下であるならば、より高い優先度を有する前記第１の信号の前記信号状態が前記サービス条件を満たしていると判定するように構成される第４の判定サブユニットとを含む。
【００１２】
本発明の実施例の第２の態様、又は第２の態様の第１の実施方法、又は第２の態様の第２の実施方法に関連して、本発明の実施例の第２の態様の第３の実施方法において、前記制御装置は、より高い優先度を有する前記第１の信号の前記信号状態が前記サービス条件を満たしていない場合に、論理制御インタフェースを使用することにより出力される第１の電圧を使用することにより、前記単極双投スイッチの第１端を導通するように制御するように構成される第１の制御ユニットと、より高い優先度を有する前記第１の信号の前記信号状態が前記サービス条件を満たしている場合に、前記論理制御インタフェースを使用することにより出力される第２の電圧を使用することにより、前記単極双投スイッチの第２端を導通するように制御するように構成される第２の制御ユニットとを更に含む。
【００１３】
本発明の実施例の第３の態様は、信号伝送システムであって、第１の信号及び第２の信号が共有帯域を有し、当該システムが、制御装置と、単極双投スイッチと、パワースプリッタと、無線周波数フロントエンドと、前記第１の信号の処理バックエンドと、前記第２の信号の処理バックエンドとを含み、前記無線周波数フロントエンドがアンテナを含み、前記単極双投スイッチの共通端が前記アンテナに接続され、前記単極双投スイッチの第１端が前記第１の信号の前記処理バックエンドに接続され、前記単極双投スイッチの第２端が前記パワースプリッタの入力端に接続され、前記パワースプリッタの第１の出力端が前記第１の信号の前記処理バックエンドに接続され、前記パワースプリッタの第２の出力端が前記第２の信号の前記処理バックエンドに接続され、前記アンテナが、前記第１の信号及び前記第２の信号の混合信号を受信して送信するように構成され、前記制御装置が、下記の、前記第１の信号の優先度が前記第２の信号の優先度より高いことを判定する手順と、前記第１の信号及び前記第２の信号が同時に動作する場合に、より高い優先度を有する前記第１の信号の信号状態がサービス条件を満たしているかどうかを判定する手順と、前記サービス条件が満たされていない場合に、前記単極双投スイッチの前記第１端を導通するように制御する手順と、前記サービス条件が満たされている場合に、前記単極双投スイッチの前記第２端を導通するように制御する手順とを実行するように構成され、前記パワースプリッタが、前記パワースプリッタの前記入力端を使用することにより、前記アンテナにより送信された、前記第１の信号及び前記第２の信号の前記混合信号を受信するとともに、前記の受信された、前記第１の信号及び前記第２の信号の混合信号を、前記第１の信号の前記処理バックエンド及び前記第２の信号の前記処理バックエンドに対して別々に転送するように構成され、前記第１の信号の前記処理バックエンド又は前記第２の信号の前記処理バックエンドが、前記アンテナにより送信された、前記第１の信号及び前記第２の信号の前記混合信号を処理するように構成される、システムを提供する。
【００１４】
本発明の実施例の第３の態様に関連して、本発明の実施例の第３の態様の第１の実施方法において、前記制御装置は、下記の、前記第１の信号が受信タイムスロット内にあるかどうか、並びに、より高い優先度を有する前記第１の信号の受信信号強度が第１のしきい値より小さいかどうか、及び／又は送信信号強度が第２のしきい値より大きいかどうかを判定する手順と、もし前記第１の信号の前記受信信号強度が前記第１のしきい値より小さいか、及び／若しくは前記送信信号強度が前記第２のしきい値より大きく、そして前記第１の信号が前記受信タイムスロット内にあるならば、より高い優先度を有する前記第１の信号の前記信号状態が前記サービス条件を満たしていないと判定する手順、又は、もし前記第１の信号の前記受信信号強度が前記第１のしきい値以上であるか、及び／若しくは前記送信信号強度が前記第２のしきい値以下であるか、さもなければ、前記第１の信号が前記受信タイムスロット内にないならば、より高い優先度を有する前記第１の信号の前記信号状態が前記サービス条件を満たしていると判定する手順とを実行するように構成される。
【００１５】
本発明の実施例の第３の態様に関連して、本発明の実施例の第３の態様の第２の実施方法において、前記制御装置は、下記の、前記第１の信号の受信信号強度が第１のしきい値より小さいかどうか、及び／又は送信信号強度が第２のしきい値より大きいかどうかを判定する手順と、前記第１の信号の前記受信信号強度が前記第１のしきい値より小さいか、及び／若しくは前記送信信号強度が前記第２のしきい値より大きい場合に、より高い優先度を有する前記第１の信号の前記信号状態が前記サービス条件を満たしていないと判定する手順、又は、前記第１の信号の前記受信信号強度が前記第１のしきい値以上であるか、及び／若しくは前記送信信号強度が前記第２のしきい値以下である場合に、より高い優先度を有する前記第１の信号の前記信号状態が前記サービス条件を満たしていると判定する手順とを実行するように構成される。
【００１６】
本発明の実施例の第３の態様、又は第３の態様の第１の実施方法、又は第３の態様の第２の実施方法に関連して、本発明の実施例の第３の態様の第３の実施方法において、前記制御装置は、より高い優先度を有する前記第１の信号の前記信号状態が前記サービス条件を満たしていない場合に、論理制御インタフェースを使用することにより前記単極双投スイッチに対して出力される第１の電圧を使用することにより、前記単極双投スイッチの前記第１端を導通するように更に構成されるとともに、前記制御装置は、より高い優先度を有する前記第１の信号の前記信号状態が前記サービス条件を満たしている場合に、前記論理制御インタフェースを使用することにより前記単極双投スイッチに対して出力される第２の電圧を使用することにより、前記単極双投スイッチの前記第２端を導通するように更に構成される。
【００１７】
本発明の実施例は下記の利点を有する、ということが前述の技術的解決法から理解されることができる。本発明の実施例において、制御装置は、単極双投スイッチを、より高い優先度を有する第１の信号の信号状態がサービス条件を満たしているかどうかを判定し、もしサービス条件が満たされていないならば、アンテナにより受信された、第１の信号及び第２の信号の混合信号を、単極双投スイッチを使用することにより、第１の信号の処理バックエンドに導くか、又は、もしサービス条件が満たされているならば、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送することにより制御する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【図面の簡単な説明】
【００１８】
【図１】本発明の実施例による信号伝送方法の実施例の概略図である。
【図２】本発明の実施例による信号伝送方法の別の実施例の概略図である。
【図３】本発明の実施例による信号伝送方法の別の実施例の概略図である。
【図４】本発明の実施例による制御装置の実施例の概略図である。
【図５】本発明の実施例による制御装置の別の実施例の概略図である。
【図６】本発明の実施例による制御装置の別の実施例の概略図である。
【図７】本発明の実施例による信号伝送システムの実施例の概略図である。
【発明を実施するための形態】
【００１９】
本発明の実施例は、信号伝送方法及びシステム、並びに制御装置を提供し、それにより、共有帯域を有する２つの信号は、２つの信号が同時に動作する場合にアンテナを共有することができる。
【００２０】
本発明の全ての実施例は、第１の信号及び第２の信号が共有帯域を有するとともに同時に動作する必要がある、デュアルカード・デュアルスタンバイ・デュアルパス（dual  card  dual  standby  dual  pass）・アプリケーションシナリオに適用できる、ということが注意されるべきである。
【００２１】
図１を参照すると、第１の信号及び第２の信号は同時に動作するとともにアンテナを共有し、ここで、第１の信号及び第２の信号は共有帯域を有し、無線周波数フロントエンドはアンテナを含むとともに、アンテナは第１の信号及び第２の信号の混合信号を受信して送信するように構成される。本発明の実施例による信号伝送方法の実施例は、下記のステップを含む。
【００２２】
１０１：制御装置が、第１の信号の優先度が第２の信号の優先度より高いことを判定する。
【００２３】
この実施例において、制御装置は、第１の信号の優先度が第２の信号の優先度より高いことを判定し得る。実際のアプリケーションにおいて、制御装置は、制御装置が位置付けられた端末のサービスの方向性に従って２つの信号の優先度を判定し得る。例えば、中国移動通信集団公司（ＣＭＣＣ、China  Mobile  Communications  Corporation）のＳＧＬＴＥソリューションでは、ＧＳＭ信号とＬＴＥ信号が共有帯域を有し、もし制御装置が位置付けられた端末が携帯電話であるならば、制御装置は、携帯電話のサービスの方向性が音声通話であるので、ＧＳＭ信号の優先度がＬＴＥ信号の優先度より高いことを判定し得るか、又は、もし制御装置が位置付けられた端末がタブレットコンピュータであるならば、制御装置は、タブレットコンピュータのサービスの方向性がデータ伝送であるので、ＬＴＥ信号の優先度がＧＳＭ信号の優先度より高いことを判定し得る。実際のアプリケーションにおいて、制御装置は、どのくらいの頻度でユーザが２つの信号を利用するかに従って、２つの信号の優先度を判定し得る。例えば、デュアルカード・デュアルスタンバイ・デュアルパスソリューションでは、ＧＳＭ信号と広帯域符号分割多元接続（ＷＣＤＭＡ、Wideband  Code  Division  Multiple  Access）信号が共有帯域を有し、もしユーザが頻繁にＧＳＭを使用するならば、制御装置は、ＧＳＭ信号の優先度がＷＣＤＭＡ信号の優先度より高いことを判定し、又は、もし制御装置が位置付けられた端末がオペレータのカスタマイズされた端末であるとともに、もしオペレータがＧＳＭ標準を使用するならば、制御装置は、ＧＳＭ信号の優先度がＷＣＤＭＡ信号の優先度より高いことを判定し得る。２つの信号の優先度を判定する方法は、ここでは限定されない。
【００２４】
無線周波数フロントエンドは、少なくとも１つのアンテナを含むとともに、確かに、アンテナ送信−受信スイッチ、又は信号増幅器のような別の要素を更に含み得る、ということが注意されるべきである。
【００２５】
１０２：第１の信号及び第２の信号が同時に動作する場合に、より高い優先度を有する第１の信号の信号状態がサービス条件を満たしているかどうかを判定し、もしサービス条件が満たされていないならば、ステップ１０３を実行するか、又は、もしサービス条件が満たされているならば、ステップ１０４を実行する。
【００２６】
この実施例において、第１の信号及び第２の信号が同時に動作する場合に、制御装置は、より高い優先度を有する第１の信号の信号状態がサービス条件を満たしているかどうかを判定する。実際のアプリケーションにおいて、もし第１の信号がＧＳＭ信号であるならば、制御装置は、ＧＳＭ信号の信号状態が音声通話条件を満たしているかどうかを判定し得るか、又は、もし第１の信号がＬＴＥ信号であるならば、制御装置は、ＬＴＥ信号の信号状態がデータ伝送条件を満たしているかどうかを判定し得る。
【００２７】
１０３：アンテナにより受信された、第１の信号及び第２の信号の混合信号を、単極双投スイッチを使用することにより、第１の信号の処理バックエンドに導く。
【００２８】
この実施例において、より高い優先度を有する第１の信号の信号状態がサービス条件を満たしていない場合に、制御装置は、アンテナにより受信された、第１の信号及び第２の信号の混合信号を、単極双投スイッチを使用することにより、第１の信号の処理バックエンドに導き得る。実際のアプリケーションにおいて、アンテナにより受信された、第１の信号及び第２の信号の混合信号は、単極双投スイッチを使用することにより、第１の信号の処理バックエンドに導かれるとともに、この場合、アンテナにより受信された混合信号は、第１の信号チャネルが位置付けられたチャネル上でのみ使用されることができる。このようにして、第１の信号の信号状態はサービス条件を満たすことができる。
【００２９】
１０４：アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送する。
【００３０】
この実施例において、より高い優先度を有する第１の信号の信号状態がサービス条件を満たしている場合に、制御装置は、アンテナにより受信された、第１の信号及び第２の信号の混合信号を、単極双投スイッチを使用することにより、パワースプリッタに導き得るとともに、第１の信号及び第２の信号の混合信号を、パワースプリッタを使用することにより、第１の信号の処理バックエンド及び第２の信号の処理バックエンドに対して別々に転送し得る。実際のアプリケーションにおいて、パワースプリッタは、電力分割器であり、それは、１つの入力信号のエネルギーを２つ以上の出力信号のエネルギーに分割し、２つ以上の出力信号のエネルギーは等しいか若しくは等しくない、コンポーネントか、又は、反対に、出力のために複数の信号のエネルギーを１つの信号のエネルギーに合成し得るコンポーネントである。本発明のこの実施例では２つの信号が存在するので、１対２のパワースプリッタが使用され、このようにして、混合信号は、第１の信号と第２の信号が位置付けられたチャネルにより共有され得る。
【００３１】
この実施例において、制御装置は、単極双投スイッチを、より高い優先度を有する第１の信号の信号状態がサービス条件を満たしているかどうかを判定し、もしサービス条件が満たされていないならば、アンテナにより受信された、第１の信号及び第２の信号の混合信号を、単極双投スイッチを使用することにより、第１の信号の処理バックエンドに導くか、又は、もしサービス条件が満たされているならば、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送することにより制御する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【００３２】
理解を容易にするために、本発明の実施例による信号伝送方法は、特定の実例を使用することによって説明される。図２を参照すると、それは、本発明の実施例による信号伝送方法の別の実施例を示し、第１の信号及び第２の信号は同時に動作するとともにアンテナを共有し、第１の信号及び第２の信号は共有帯域を有し、無線周波数フロントエンドはアンテナを含むとともに、アンテナは第１の信号及び第２の信号の混合信号を受信して送信するように構成される。方法は、下記のステップを含む。
【００３３】
２０１：制御装置が、第１の信号の優先度が第２の信号の優先度より高いことを判定する。
【００３４】
この実施例において、制御装置は、第１の信号の優先度が第２の信号の優先度より高いことを判定し得る。実際のアプリケーションにおいて、制御装置は、制御装置が位置付けられた端末のサービスの方向性に従って２つの信号の優先度を判定し得る。例えば、ＣＭＣＣのＳＧＬＴＥソリューションでは、ＧＳＭ信号とＬＴＥ信号が共有帯域を有し、もし制御装置が位置付けられた端末が携帯電話であるならば、制御装置は、携帯電話のサービスの方向性が音声通話であるので、ＧＳＭ信号の優先度がＬＴＥ信号の優先度より高いことを判定し得るか、又は、もし制御装置が位置付けられた端末がタブレットコンピュータであるならば、制御装置は、タブレットコンピュータのサービスの方向性がデータ伝送であるので、ＬＴＥ信号の優先度がＧＳＭ信号の優先度より高いことを判定し得る。実際のアプリケーションにおいて、制御装置は、同様に、どのくらいの頻度でユーザが２つの信号を利用するかに従って、２つの信号の優先度を判定し得る。例えば、ＳＧＬＴＥソリューションでは、ＧＳＭ信号と時分割同期符号分割多元接続（ＴＤＳＣＤＭＡ、Time  Division-Synchronous  Code  Division  Multiple  Access）信号が共有帯域を有し、もしユーザが頻繁にＧＳＭを使用するならば、制御装置は、ＧＳＭ信号の優先度がＴＤＳＣＤＭＡ信号の優先度より高いことを判定する。２つの信号の優先度を判定する方法は、ここでは限定されない。
【００３５】
この実施例は、ＣＭＣＣのＳＧＬＴＥソリューションにおける一例を使用することにより説明され、ＧＳＭ信号とＬＴＥ信号が共有帯域を有し、制御装置が位置付けられた端末は携帯電話である。この場合、第１の信号はＧＳＭ信号であり、第２の信号はＬＴＥ信号であるとともに、ＧＳＭ信号の優先度はＬＴＥ信号の優先度より高い。
【００３６】
２０２：第１の信号が受信タイムスロット内にあるかどうか、並びに、第１の信号の受信信号強度が第１のしきい値より小さいかどうか、及び／又は第１の信号の送信信号強度が第２のしきい値より大きいかどうかを判定する。
【００３７】
２０３：もし第１の信号の受信信号強度が第１のしきい値より小さいか、及び／又は第１の信号の送信信号強度が第２のしきい値より大きく、そして第１の信号が受信タイムスロット内にあるならば、より高い優先度を有する第１の信号の信号状態がサービス条件を満たしていないと判定する。
【００３８】
２０４：もし第１の信号の受信信号強度が第１のしきい値以上であるか、及び／又は第１の信号の送信信号強度が第２のしきい値以下であるか、さもなければ、第１の信号が受信タイムスロット内にないならば、より高い優先度を有する第１の信号の信号状態がサービス条件を満たしていると判定する。
【００３９】
この実施例において、もし第１の信号の受信信号強度が第１のしきい値より小さいか、及び／又は第１の信号の送信信号強度が第２のしきい値より大きく、そして第１の信号が受信タイムスロット内にあるならば、より高い優先度を有する第１の信号の信号状態がサービス条件を満たしていない、ということが判定され、その場合に、ステップ２０５が実行される。もし下記の３つの条件のうちのいずれかの条件が満たされるならば、より高い優先度を有する第１の信号の信号状態がサービス条件を満たしていない、ということが判定されることができる。
Ａ：第１の信号が受信タイムスロット内にあり、そして、第１の信号の受信信号強度が第１のしきい値より小さいか、又は第１の信号の送信信号強度が第２のしきい値より大きい、及び、
Ｂ：第１の信号が受信タイムスロット内にあり、そして、第１の信号の受信信号強度が第１のしきい値より小さいとともに、第１の信号の送信信号強度が第２のしきい値より大きい。
【００４０】
もし第１の信号の受信信号強度が第１のしきい値以上であるか、及び／又は第１の信号の送信信号強度が第２のしきい値以下であるか、さもなければ、第１の信号が受信タイムスロット内にないならば、より高い優先度を有する第１の信号の信号状態がサービス条件を満たしている、ということが判定され、その場合に、ステップ２０６が実行される。もし下記の条件のうちのいずれか１つが満たされるならば、この判定方法に従って、より高い優先度を有する第１の信号の信号状態がサービス条件を満たしている、というということが判定されることができる。
Ａ：第１の信号の受信信号強度が第１のしきい値以上であるとともに、第１の信号の送信信号強度が第２のしきい値以下である、
Ｂ：第１の信号の受信信号強度が第１のしきい値以上である、
Ｃ：第１の信号の送信信号強度が第２のしきい値以下である、及び、
Ｄ：第１の信号が受信タイムスロット内にない。
【００４１】
第１の信号が受信タイムスロット内にない場合に、第１の信号は実際に受信されず、この実施例では、より高い優先度を有する第１の信号の信号状態がサービス条件を満たしているとみなされる、ということが注意されるべきである。
【００４２】
例えば、この実施例では、ＧＳＭ信号が判定される。ＧＳＭ信号が受信タイムスロット内にあるかどうか、並びに、ＧＳＭ信号の受信信号強度が第１のしきい値より小さいかどうか、及び／又はＧＳＭ信号の送信信号強度が第２のしきい値より大きいかどうかが判定される。ここでは、第１のしきい値は−１０３ｄＢｍであり得るとともに、第２のしきい値は２２ｄＢｍであり得る。第１のしきい値及び第２のしきい値の値は実際のアプリケーションでは限定されない。
【００４３】
２０５：論理制御インタフェースを使用することにより出力される第１の電圧を使用することにより、単極双投スイッチの第１端を導通するように制御する。
【００４４】
２０６：論理制御インタフェースを使用することにより出力される第２の電圧を使用することにより、単極双投スイッチの第２端を導通するように制御する。
【００４５】
この実施例において、もしより高い優先度を有する第１の信号の信号状態がサービス条件を満たしていないならば、制御装置は、論理制御インタフェースを使用することにより出力される第１の電圧を使用することにより、単極双投スイッチの第１端を導通するように制御するか、又は、もしより高い優先度を有する第１の信号の信号状態がサービス条件を満たしているならば、制御装置は、論理制御インタフェースを使用することにより出力される第２の電圧を使用することにより、単極双投スイッチの第２端を導通するように制御する。実際のアプリケーションにおいて、論理制御インタフェースは、単極双投スイッチ上に与えられ、制御装置は、論理制御インタフェースを使用することにより、２つの電圧、すなわち高電圧及び低電圧を出力し得る。もし第１の電圧が高電圧であるならば、第２の電圧は低電圧であるか、又は、もし第１の電圧が低電圧であるならば、第２の電圧は高電圧である。制御装置は、論理制御インタフェースを使用することにより出力される電圧の値に従って、端点を導通するように単極双投スイッチを制御し得る。
【００４６】
２０７：アンテナにより受信された、第１の信号及び第２の信号の混合信号を、単極双投スイッチを使用することにより、第１の信号の処理バックエンドに導く。
【００４７】
この実施例において、ステップ２０５のあとで、制御装置は、アンテナにより受信された、第１の信号及び第２の信号の混合信号を、単極双投スイッチを使用することにより、第１の信号の処理バックエンドに導き得る。実際のアプリケーションにおいて、アンテナにより受信された、第１の信号及び第２の信号の混合信号は、単極双投スイッチを使用することにより、第１の信号の処理バックエンドに導かれるとともに、この場合、アンテナにより受信された混合信号は、第１の信号の処理バックエンドにのみ供給されることができる。このようにして、第１の信号の信号状態はサービス条件を満たすことができる。
【００４８】
例えば、この実施例において、アンテナにより受信された、ＧＳＭ信号及びＬＴＥ信号の混合信号は、単極双投スイッチを使用することにより、ＧＳＭ信号の処理バックエンドに導かれる。
【００４９】
２０８：アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送する。
【００５０】
この実施例において、ステップ２０６のあとで、制御装置は、アンテナにより受信された、第１の信号及び第２の信号の混合信号を、単極双投スイッチを使用することにより、パワースプリッタに導き得るとともに、第１の信号及び第２の信号の混合信号を、パワースプリッタを使用することにより、第１の信号の処理バックエンド及び第２の信号の処理バックエンドに対して別々に転送し得る。実際のアプリケーションにおいて、パワースプリッタは、電力分割器であり、それは、１つの入力信号のエネルギーを２つ以上の出力信号のエネルギーに分割し、２つ以上の出力信号のエネルギーは等しいか若しくは等しくない、コンポーネントか、又は、反対に、出力のために複数の信号のエネルギーを１つの信号のエネルギーに合成し得るコンポーネントである。本発明のこの実施例では２つの信号が存在するので、１対２のパワースプリッタが使用され、このようにして、混合信号は、第１の信号の処理バックエンド及び第２の信号の処理バックエンドにより共有され得る。
【００５１】
例えば、この実施例において、アンテナにより受信された、ＧＳＭ信号及びＬＴＥ信号の混合信号は、単極双投スイッチを使用することにより、パワースプリッタに導かれるとともに、その場合に、ＧＳＭ信号及びＬＴＥ信号の混合信号は、ＧＳＭ信号の処理バックエンド及びＬＴＥ信号の処理バックエンドに別々に転送される。
【００５２】
第１の信号の処理バックエンドは、第１の信号及び第２の信号の混合信号における第１の信号のみを維持するように主として構成され、第２の信号の処理バックエンドは、第１の信号及び第２の信号の混合信号における第２の信号のみを維持するように主として構成される、ということが注意されるべきである。実際のアプリケーションにおいて、第１の信号の処理バックエンド又は第２の信号の処理バックエンドは、単に信号のフィルタリング動作ために使用されるだけでなく、当業者は、同様に、第１の信号の処理バックエンド又は第２の信号の処理バックエンドを使用することにより、第１の信号又は第２の信号に対して、ノイズ除去又は増幅のような別の動作を実行することができ、それはここでは限定されない。
【００５３】
この実施例において、制御装置は、単極双投スイッチを、第１の信号が受信タイムスロット内にあるかどうか、並びに、より高い優先度を有する第１の信号の受信信号強度が第１のしきい値より小さいかどうか、又は第１の信号の送信信号強度が第２のしきい値より大きいかどうかを判定し、もしサービス条件が満たされていないならば、アンテナにより受信された、第１の信号及び第２の信号の混合信号を、単極双投スイッチを使用することにより、第１の信号の処理バックエンドに導くか、又は、もしサービス条件が満たされているならば、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送することにより制御する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【００５４】
本発明の実施例による信号伝送方法は、特定の実例を使用することによって説明される。図３を参照すると、それは、本発明の実施例による信号伝送方法の別の実施例を示し、第１の信号及び第２の信号は同時に動作するとともにアンテナを共有し、第１の信号及び第２の信号は共有帯域を有し、無線周波数フロントエンドはアンテナを含むとともに、アンテナは第１の信号及び第２の信号の混合信号を受信して送信するように構成される。方法は、下記のステップを含む。
【００５５】
３０１：制御装置が、第１の信号の優先度が第２の信号の優先度より高いことを判定する。
【００５６】
この実施例において、制御装置は、第１の信号の優先度が第２の信号の優先度より高いことを判定し得る。実際のアプリケーションにおいて、制御装置は、制御装置が位置付けられた端末のサービスの方向性に従って２つの信号の優先度を判定し得る。例えば、ＣＭＣＣのＳＧＬＴＥソリューションでは、ＧＳＭ信号とＬＴＥ信号が共有帯域を有し、もし制御装置が位置付けられた端末が携帯電話であるならば、制御装置は、携帯電話のサービスの方向性が音声通話であるので、ＧＳＭ信号の優先度がＬＴＥ信号の優先度より高いことを判定し得るか、又は、もし制御装置が位置付けられた端末がタブレットコンピュータであるならば、制御装置は、タブレットコンピュータのサービスの方向性がデータ伝送であるので、ＬＴＥ信号の優先度がＧＳＭ信号の優先度より高いことを判定し得る。実際のアプリケーションにおいて、制御装置は、同様に、どのくらいの頻度でユーザが２つの信号を利用するかに従って、２つの信号の優先度を判定し得る。例えば、デュアルカード・デュアルスタンバイ・デュアルパスソリューションでは、ＧＳＭ信号とＷＣＤＭＡ信号が共有帯域を有し、もしユーザが頻繁にＧＳＭを使用するならば、制御装置は、ＧＳＭ信号の優先度がＷＣＤＭＡ信号の優先度より高いことを判定する。２つの信号の優先度を判定する方法は、ここでは限定されない。
【００５７】
３０２：第１の信号の受信信号強度が第１のしきい値より小さいかどうか、及び／又は第１の信号の送信信号強度が第２のしきい値より大きいかどうかを判定する。
【００５８】
３０３：もし第１の信号の受信信号強度が第１のしきい値より小さいか、及び／又は第１の信号の送信信号強度が第２のしきい値より大きいならば、より高い優先度を有する第１の信号の信号状態がサービス条件を満たしていないと判定する。
【００５９】
３０４：もし第１の信号の受信信号強度が第１のしきい値以上であるか、及び／又は第１の信号の送信信号強度が第２のしきい値以下であるならば、より高い優先度を有する第１の信号の信号状態がサービス条件を満たしていると判定する。
【００６０】
この実施例において、制御装置は、第１の信号の受信信号強度が第１のしきい値より小さいかどうか、及び／又は第１の信号の送信信号強度が第２のしきい値より大きいかどうかを判定することができ、もし第１の信号の受信信号強度が第１のしきい値より小さいか、及び／若しくは第１の信号の送信信号強度が第２のしきい値より大きいならば、より高い優先度を有する第１の信号の信号状態がサービス条件を満たしていないと判定し、その場合に、ステップ３０５を実行するか、又は、もし第１の信号の受信信号強度が第１のしきい値以上であるか、及び／若しくは第１の信号の送信信号強度が第２のしきい値以下であるならば、より高い優先度を有する第１の信号の信号状態がサービス条件を満たしていると判定し、その場合に、ステップ３０６を実行する。
【００６１】
ステップ３０５からステップ３０８は、第２の実施例におけるステップ２０５からステップ２０８と同じであるとともに、詳細は再度ここでは説明されない。
【００６２】
本発明の実施例による前述の信号伝送方法を実行するための制御装置が下記で説明され、制御装置の基礎的な論理的構造については、本発明の実施例による制御装置の実施例を示す図４を参照すると、第１の信号及び第２の信号は同時に動作するとともにアンテナを共有し、第１の信号及び第２の信号は共有帯域を有し、無線周波数フロントエンドはアンテナを含むとともに、アンテナは第１の信号及び第２の信号の混合信号を受信して送信するように構成される。制御装置は、判定ユニット４０１、判断ユニット４０２、第１の実行ユニット４０３、及び第２の実行ユニット４０４を含む。
【００６３】
判定ユニット４０１は、第１の信号の優先度が第２の信号の優先度より高いことを判定するように構成される。
【００６４】
判断ユニット４０２は、第１の信号及び第２の信号が同時に動作する場合に、より高い優先度を有する第１の信号の信号状態がサービス条件を満たしているかどうかを判定するように構成される。
【００６５】
第１の実行ユニット４０３は、サービス条件が満たされていない場合に、アンテナにより受信された、第１の信号及び第２の信号の混合信号を、単極双投スイッチを使用することにより、第１の信号の処理バックエンドに導くように構成される。
【００６６】
第２の実行ユニット４０４は、もしサービス条件が満たされているならば、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送するように構成される。
【００６７】
この実施例において、制御装置は、より高い優先度を有する第１の信号の信号状態がサービス条件を満たしているかどうかを判定するために、判断ユニット４０２を使用することにより、単極双投スイッチを制御し、もしサービス条件が満たされていないならば、第１の実行ユニット４０３は、アンテナにより受信された、第１の信号及び第２の信号の混合信号を、単極双投スイッチを使用することにより、第１の信号の処理バックエンドに導くか、又は、もしサービス条件が満たされているならば、第２の実行ユニット４０４は、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【００６８】
サーバ内でデータを交換する方法が、具体的な実施例を使用することにより、そして本発明の実施例による制御装置に含まれているモジュールとユニットとの間の相互作用に従って、下記で説明される。図５を参照すると、制御装置は、判定ユニット５０１、判断ユニット５０２、第１の制御ユニット５０３、第２の制御ユニット５０４、第１の実行ユニット５０５、及び第２の実行ユニット５０６を含む。
【００６９】
判断ユニット５０２は、第１の判断サブユニット５０２１、第１の判定サブユニット５０２２、及び第２の判定サブユニット５０２３を含む。
【００７０】
判定ユニット５０１は、第１の信号の優先度が第２の信号の優先度より高いことを判定するとともに、その場合に、第１の信号の優先度が高い、ということを第１の判断サブユニット５０２１に通知する。実際のアプリケーションにおいて、判定ユニット５０１は、制御装置が位置付けられた端末のサービスの方向性に従って２つの信号の優先度を判定し得る。例えば、ＣＭＣＣのＳＧＬＴＥソリューションでは、ＧＳＭ信号とＬＴＥ信号が共有帯域を有し、もし制御装置が位置付けられた端末が携帯電話であるならば、携帯電話のサービスの方向性が音声通話であるので、判定ユニット５０１は、ＧＳＭ信号の優先度がＬＴＥ信号の優先度より高いことを判定し得るか、又は、もし制御装置が位置付けられた端末がタブレットコンピュータであるならば、タブレットコンピュータのサービスの方向性がデータ伝送であるので、判定ユニット５０１は、ＬＴＥ信号の優先度がＧＳＭ信号の優先度より高いことを判定し得る。実際のアプリケーションにおいて、判定ユニット５０１は、同様に、どのくらいの頻度でユーザが２つの信号を利用するかに従って、２つの信号の優先度を判定し得る。例えば、ＳＧＬＴＥソリューションでは、ＧＳＭ信号とＴＤＳＣＤＭＡ信号が共有帯域を有し、もしユーザが頻繁にＧＳＭを使用するならば、判定ユニット５０１は、ＧＳＭ信号の優先度がＴＤＳＣＤＭＡ信号の優先度より高いことを判定する。２つの信号の優先度を判定する方法は、ここでは限定されない。
【００７１】
第１の判断サブユニット５０２１は、第１の信号が受信タイムスロット内にあるかどうか、並びに、より高い優先度を有する第１の信号の受信信号強度が第１のしきい値より小さいかどうか、及び／又は第１の信号の送信信号強度が第２のしきい値より大きいかどうかを判定し、もし第１の信号の受信信号強度が第１のしきい値より小さいか、及び／若しくは第１の信号の送信信号強度が第２のしきい値より大きく、そして第１の信号が受信タイムスロット内にあるならば、第１の判定サブユニット５０２２に通知するか、又は、もし第１の信号の受信信号強度が第１のしきい値以上であるか、及び／若しくは第１の信号の送信信号強度が第２のしきい値以下であるか、さもなければ、第１の信号が受信タイムスロット内にないならば、第２の判定サブユニット５０２３に通知する。
【００７２】
もし第１の信号の受信信号強度が第１のしきい値より小さいか、及び／又は第１の信号の送信信号強度が第２のしきい値より大きく、そして第１の信号が受信タイムスロット内にあるならば、第１の判定サブユニット５０２２は、より高い優先度を有する第１の信号の信号状態がサービス条件を満たしていないと判定し、その場合に、より高い優先度を有する第１の信号の信号状態がサービス条件を満たしていない、ということを第１の制御ユニット５０３に通知する。
【００７３】
もし第１の信号の受信信号強度が第１のしきい値以上であるか、及び／又は第１の信号の送信信号強度が第２のしきい値以下であるか、さもなければ、第１の信号が受信タイムスロット内にないならば、第２の判定サブユニット５０２３は、より高い優先度を有する第１の信号の信号状態がサービス条件を満たしていると判定し、その場合に、より高い優先度を有する第１の信号の信号状態がサービス条件を満たしている、ということを第２の制御ユニット５０４に通知する。第１の信号が受信タイムスロット内にない場合に、第１の信号は実際に受信されず、この実施例では、より高い優先度を有する第１の信号の信号状態がサービス条件を満たしているとみなされる、ということが注意されるべきである。
【００７４】
第１の制御ユニット５０３は、論理制御インタフェースを使用することにより出力される第１の電圧を使用することにより、単極双投スイッチの第１端を導通するように制御する。
【００７５】
第２の制御ユニット５０４は、論理制御インタフェースを使用することにより出力される第２の電圧を使用することにより、単極双投スイッチの第２端を導通するように制御する。
【００７６】
実際のアプリケーションにおいて、論理制御インタフェースは、単極双投スイッチ上に与えられ、制御装置は、論理制御インタフェースを使用することにより、２つの電圧、すなわち高電圧及び低電圧を出力し得る。もし第１の電圧が高電圧であるならば、第２の電圧は低電圧であるか、又は、もし第１の電圧が低電圧であるならば、第２の電圧は高電圧である。制御装置は、論理制御インタフェースを使用することにより出力される電圧の値に従って、端点を導通するように単極双投スイッチを制御し得る。
【００７７】
第１の実行ユニット５０５は、アンテナにより受信された、第１の信号及び第２の信号の混合信号を、単極双投スイッチを使用することにより、第１の信号の処理バックエンドに導く。実際のアプリケーションにおいて、アンテナにより受信された、第１の信号及び第２の信号の混合信号は、単極双投スイッチを使用することにより、第１の信号の処理バックエンドに導かれるとともに、この場合、アンテナにより受信された混合信号は、第１の信号の処理バックエンドにのみ供給されることができる。このようにして、第１の信号の信号状態はサービス条件を満たすことができる。
【００７８】
第２の実行ユニット５０６は、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送する。実際のアプリケーションにおいて、パワースプリッタは、電力分割器であり、それは、１つの入力信号のエネルギーを２つ以上の出力信号のエネルギーに分割し、２つ以上の出力信号のエネルギーは等しいか若しくは等しくない、コンポーネントか、又は、反対に、出力のために複数の信号のエネルギーを１つの信号のエネルギーに合成し得るコンポーネントである。本発明のこの実施例では２つの信号が存在するので、１対２のパワースプリッタが使用され、このようにして、混合信号は、第１の信号の処理バックエンド及び第２の信号の処理バックエンドにより共有され得る。
【００７９】
この実施例において、制御装置は、第１の判断サブユニット５０２１を使用することにより、第１の信号が受信タイムスロット内にあるかどうか、並びに、より高い優先度を有する第１の信号の受信信号強度が第１のしきい値より小さいかどうか、及び／又は第１の信号の送信信号強度が第２のしきい値より大きいかどうかを判定し、第１の判定サブユニット５０２２又は第２の判定サブユニット５０２３、そして第１の制御ユニット５０３又は第２の制御ユニット５０４は、第１の判断サブユニット５０２１による判定の結果に従って単極双投スイッチを制御し、もしサービス条件が満たされていないならば、第１の実行ユニット５０５は、アンテナにより受信された、第１の信号及び第２の信号の混合信号を、単極双投スイッチを使用することにより、第１の信号の処理バックエンドに導くか、又は、もしサービス条件が満たされているならば、第２の実行ユニット５０６は、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【００８０】
サーバ内でデータを交換する方法が、具体的な実施例を使用することにより、そして本発明の実施例による制御装置に含まれているモジュールとユニットとの間の相互作用に従って、下記で説明される。
【００８１】
図６を参照すると、制御装置は、判定ユニット６０１、判断ユニット６０２、第１の制御ユニット６０３、第２の制御ユニット６０４、第１の実行ユニット６０５、及び第２の実行ユニット６０６を含む。
【００８２】
判断ユニット６０２は、第２の判断サブユニット６０２１、第３の判定サブユニット６０２２、及び第４の判定サブユニット６０２３を含む。
【００８３】
判定ユニット６０１は、第１の信号の優先度が第２の信号の優先度より高いことを判定するとともに、その場合に、第１の信号の優先度が高い、ということを第２の判断サブユニット６０２１に通知する。実際のアプリケーションにおいて、判定ユニット６０１は、制御装置が位置付けられた端末のサービスの方向性に従って２つの信号の優先度を判定し得る。例えば、ＣＭＣＣのＳＧＬＴＥソリューションでは、ＧＳＭ信号とＬＴＥ信号が共有帯域を有し、もし制御装置が位置付けられた端末が携帯電話であるならば、携帯電話のサービスの方向性が音声通話であるので、判定ユニット６０１は、ＧＳＭ信号の優先度がＬＴＥ信号の優先度より高いことを判定し得るか、又は、もし制御装置が位置付けられた端末がタブレットコンピュータであるならば、タブレットコンピュータのサービスの方向性がデータ伝送であるので、判定ユニット６０１は、ＬＴＥ信号の優先度がＧＳＭ信号の優先度より高いことを判定し得る。実際のアプリケーションにおいて、判定ユニット６０１は、同様に、どのくらいの頻度でユーザが２つの信号を利用するかに従って、２つの信号の優先度を判定し得る。例えば、デュアルカード・デュアルスタンバイ・デュアルパスソリューションでは、ＧＳＭ信号とＷＣＤＭＡ信号が共有帯域を有し、もしユーザが頻繁にＧＳＭを使用するならば、判定ユニット６０１は、ＧＳＭ信号の優先度がＷＣＤＭＡ信号の優先度より高いことを判定する。２つの信号の優先度を判定する方法は、ここでは限定されない。
【００８４】
第２の判断サブユニット６０２１は、第１の信号の受信信号強度が第１のしきい値より小さいかどうか、及び／又は第１の信号の送信信号強度が第２のしきい値より大きいかどうかを判定し、もし第１の信号の受信信号強度が第１のしきい値より小さいか、及び／若しくは第１の信号の送信信号強度が第２のしきい値より大きいならば、第３の判定サブユニット６０２２に通知するか、又は、もし第１の信号の受信信号強度が第１のしきい値以上であるか、及び／若しくは第１の信号の送信信号強度が第２のしきい値以下であるならば、第４の判定サブユニット６０２３に通知する。
【００８５】
もし第１の信号の受信信号強度が第１のしきい値より小さいか、及び／又は第１の信号の送信信号強度が第２のしきい値より大きいならば、第３の判定サブユニット６０２２は、より高い優先度を有する第１の信号の信号状態がサービス条件を満たしていないと判定し、その場合に、より高い優先度を有する第１の信号の信号状態がサービス条件を満たしていない、ということを第１の制御ユニット６０３に通知する。
【００８６】
もし第１の信号の受信信号強度が第１のしきい値以上であるか、及び／又は第１の信号の送信信号強度が第２のしきい値以下であるならば、第４の判定サブユニット６０２３は、より高い優先度を有する第１の信号の信号状態がサービス条件を満たしていると判定し、その場合に、より高い優先度を有する第１の信号の信号状態がサービス条件を満たしている、ということを第２の制御ユニット６０４に通知する。
【００８７】
第１の制御ユニット６０３、第２の制御ユニット６０４、第１の実行ユニット６０５及び第２の実行ユニット６０６により実行される動作は、前述の実施例における第１の制御ユニット５０３、第２の制御ユニット５０４、第１の実行ユニット５０５及び第２の実行ユニット５０６により実行される動作と同じであるとともに、詳細は再度ここでは説明されない。
【００８８】
受信タイムスロットが判定される必要があるので、前述の実施例は、共有帯域を有するＴＤ標準における２つの信号だけに適用できるが、しかし、この実施例は、信号強度が判定されるだけなので、共有帯域を有するあらゆる２つの信号に適用できる、ということが注意されるべきである。
【００８９】
この実施例において、制御装置は、第２の判断サブユニット６０２１を使用することにより、第１の信号が受信タイムスロット内にあるかどうか、並びに、より高い優先度を有する第１の信号の受信信号強度が第１のしきい値より小さいかどうか、及び／又は第１の信号の送信信号強度が第２のしきい値より大きいかどうかを判定し、第３の判定サブユニット６０２２又は第４の判定サブユニット６０２３、そして第１の制御ユニット６０３又は第２の制御ユニット６０４は、第２の判断サブユニット６０２１による判定の結果に従って単極双投スイッチを制御し、もしサービス条件が満たされていないならば、第１の実行ユニット６０５は、アンテナにより受信された、第１の信号及び第２の信号の混合信号を、単極双投スイッチを使用することにより、第１の信号の処理バックエンドに導くか、又は、もしサービス条件が満たされているならば、第２の実行ユニット６０６は、アンテナにより受信された、第１の信号及び第２の信号の混合信号を、単極双投スイッチを使用することにより、パワースプリッタに導くとともに、第１の信号及び第２の信号の混合信号を、パワースプリッタを使用することにより、第１の信号の処理バックエンド及び第２の信号の処理バックエンドに対して別々に転送する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【００９０】
本発明の実施例による信号伝送システムが下記で説明される。図７を参照すると、それは、本発明の実施例による信号伝送システムの実施例を示す。システムは、制御装置２００、単極双投スイッチＳ１、パワースプリッタ３００、無線周波数フロントエンド１０、第１の信号の処理バックエンド４００及び第２の信号の処理バックエンド５００を含む。
【００９１】
無線周波数フロントエンド１０は、アンテナ１００を含む。
【００９２】
単極双投スイッチＳ１の共通端はアンテナ１００に接続され、単極双投スイッチＳ１の第１端は第１の信号の処理バックエンド４００に接続され、単極双投スイッチＳ１の第２端はパワースプリッタ３００の入力端に接続される。
【００９３】
パワースプリッタ３００の第１の出力端は第１の信号の処理バックエンド４００に接続され、パワースプリッタ３００の第２の出力端は第２の信号の処理バックエンド５００に接続される。アンテナ１００は、第１の信号及び第２の信号の混合信号を受信して送信するように構成される。
【００９４】
制御装置２００は、第１の信号の優先度が第２の信号の優先度より高いことを判定するように構成される。
【００９５】
制御装置２００は、第１の信号及び第２の信号が同時に動作する場合に、より高い優先度を有する第１の信号の信号状態がサービス条件を満たしているかどうかを判定し、サービス条件が満たされていない場合に、単極双投スイッチＳ１の第１端を導通するように制御するように更に構成される。
【００９６】
第１の信号の処理バックエンド４００又は第２の信号の処理バックエンド５００は、アンテナ１００により送信された、第１の信号及び第２の信号の混合信号を処理するように構成される。
【００９７】
制御装置２００は、サービス条件が満たされている場合に、単極双投スイッチＳ１の第２端を導通するように制御するように構成される。
【００９８】
パワースプリッタ３００は、パワースプリッタ３００の入力端を使用することにより、アンテナ１００により送信された、第１の信号及び第２の信号の混合信号を受信するとともに、受信された、第１の信号及び第２の信号の混合信号を、第１の信号の処理バックエンド４００及び第２の信号の処理バックエンド５００に対して別々に転送するように構成される。
【００９９】
本発明の実施例による信号伝送システムの特定の動作原理が下記で説明される。図７をまだ参照すると、それは、本発明の実施例による信号伝送システムの別の実施例を示す。システムは、制御装置２００、単極双投スイッチＳ１、パワースプリッタ３００、無線周波数フロントエンド１０、第１の信号の処理バックエンド４００及び第２の信号の処理バックエンド５００を含み、無線周波数フロントエンド１０は、アンテナ１００を含む。
【０１００】
単極双投スイッチＳ１の共通端はアンテナ１００に接続され、単極双投スイッチＳ１の第１端は第１の信号の処理バックエンド４００に接続され、単極双投スイッチＳ１の第２端はパワースプリッタ３００の入力端に接続される。
【０１０１】
パワースプリッタ３００の第１の出力端は第１の信号の処理バックエンド４００に接続され、パワースプリッタ３００の第２の出力端は第２の信号の処理バックエンド５００に接続される。制御装置２００は、第１の信号の優先度が第２の信号の優先度より高いことを判定する。
【０１０２】
第１の信号及び第２の信号が同時に動作する場合に、制御装置２００は、第１の信号が受信タイムスロット内にあるかどうか、並びに、より高い優先度を有する第１の信号の受信信号強度が第１のしきい値より小さいかどうか、及び／又は第１の信号の送信信号強度が第２のしきい値より大きいかどうかを判定する。
【０１０３】
もし第１の信号の受信信号強度が第１のしきい値より小さいか、及び／又は第１の信号の送信信号強度が第２のしきい値より大きく、そして第１の信号が受信タイムスロット内にあるならば、制御装置２００は、より高い優先度を有する第１の信号の信号状態がサービス条件を満たしていないと判定し、その場合に、制御装置２００は、論理制御インタフェース（図示されていない）を使用することにより、単極双投スイッチＳ１に対して第１の電圧を出力し、単極双投スイッチＳ１の第１端を導通するように制御する。単極双投スイッチＳ１の第１端が導通される場合に、アンテナ１００により受信された、第１の信号及び第２の信号の混合信号は、単極双投スイッチの第１端を通って、第１の信号の処理バックエンド４００に入り、その場合に、第１の信号の処理バックエンド４００は、第１の信号及び第２の信号の混合信号を処理する。実際のアプリケーションにおいて、第１の信号の処理バックエンドは、第２の信号をフィルタにより除去し得るとともに、第１の信号のみを維持し得る。
【０１０４】
もし第１の信号の受信信号強度が第１のしきい値以上であるか、及び／又は第１の信号の送信信号強度が第２のしきい値以下であるか、さもなければ、第１の信号が受信タイムスロット内にないならば、制御装置２００は、より高い優先度を有する第１の信号の信号状態がサービス条件を満たしていると判定し、その場合に、制御装置２００は、論理制御インタフェースを使用することにより、単極双投スイッチＳ１に対して第２の電圧を出力し、単極双投スイッチＳ１の第２端を導通するように制御する。アンテナ１００により受信された、第１の信号及び第２の信号の混合信号は、単極双投スイッチの第２端を通って、パワースプリッタ３００の入力端に入り、その場合に、パワースプリッタ３００は、第１の信号及び第２の信号の混合信号を、パワースプリッタ３００の第１の出力端及び第２の出力端を通して、第１の信号の処理バックエンド及び第２の信号の処理バックエンドに対して別々に転送する。その場合に、第１の信号の処理バックエンド４００及び第２の信号の処理バックエンド５００は、それぞれ受信された、第１の信号及び第２の信号の混合信号を、別々に処理する。実際のアプリケーションにおいて、第１の信号の処理バックエンド４００は、第２の信号をフィルタにより除去することができるとともに、第１の信号のみを維持することができ、そして、第２の信号の処理バックエンド５００は、第１の信号をフィルタにより除去することができるとともに、第２の信号のみを維持することができる。
【０１０５】
この実施例において、制御装置２００は、第１の信号が受信タイムスロット内にあるかどうか、並びに、第１の信号の受信信号強度が第１のしきい値より小さいかどうか、及び／又は第１の信号の送信信号強度が第２のしきい値より大きいかどうかを判定し、判定の異なる結果に従って単極双投スイッチを制御する。もしサービス条件が満たされていないならば、制御装置２００は、アンテナ１００により受信された、第１の信号及び第２の信号の混合信号を、単極双投スイッチＳ１を使用することにより、第１の信号の処理バックエンド４００に導くか、又は、もしサービス条件が満たされているならば、制御装置２００は、アンテナ１００により受信された、第１の信号及び第２の信号の混合信号を、単極双投スイッチＳ１を使用することにより、パワースプリッタ３００に導くとともに、第１の信号及び第２の信号の混合信号を、パワースプリッタ３００を使用することにより、第１の信号の処理バックエンド４００及び第２の信号の処理バックエンド５００に対して別々に転送する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【０１０６】
図７をまだ参照すると、それは、本発明の実施例による信号伝送システムの別の実施例を示す。システムは、制御装置２００、単極双投スイッチＳ１、パワースプリッタ３００、無線周波数フロントエンド１０、第１の信号の処理バックエンド４００及び第２の信号の処理バックエンド５００を含み、無線周波数フロントエンド１０は、アンテナ１００を含む。
【０１０７】
ここでのコンポーネントの接続関係は、前述の実施例における接続関係と同じであり、詳細は再度ここでは説明されない。
【０１０８】
制御装置２００は、第１の信号の優先度が第２の信号の優先度より高いことを判定する。
【０１０９】
第１の信号及び第２の信号が同時に動作する場合に、制御装置２００は、第１の信号の受信信号強度が第１のしきい値より小さいかどうか、及び／又は第１の信号の送信信号強度が第２のしきい値より大きいかどうかを判定する。
【０１１０】
第１の信号の受信信号強度が第１のしきい値より小さいか、及び／又は送信信号強度が第２のしきい値より大きい場合に、制御装置２００は、より高い優先度を有する第１の信号の信号状態がサービス条件を満たしていないと判定し、その場合に、制御装置２００は、論理制御インタフェースを使用することにより、単極双投スイッチＳ１に対して第１の電圧を出力し、単極双投スイッチＳ１の第１端を導通するように制御する。単極双投スイッチＳ１の第１端が導通される場合に、アンテナ１００により受信された、第１の信号及び第２の信号の混合信号は、単極双投スイッチの第１端を通って、第１の信号の処理バックエンド４００に入り、その場合に、第１の信号の処理バックエンド４００は、第１の信号及び第２の信号の混合信号を処理する。実際のアプリケーションにおいて、第１の信号の処理バックエンドは、第２の信号をフィルタにより除去し得るとともに、第１の信号のみを維持し得る。
【０１１１】
第１の信号の受信信号強度が第１のしきい値以上であるか、及び／又は第１の信号の送信信号強度が第２のしきい値以下である場合に、制御装置２００は、より高い優先度を有する第１の信号の信号状態がサービス条件を満たしていると判定し、その場合に、制御装置２００は、論理制御インタフェースを使用することにより、単極双投スイッチＳ１に対して第２の電圧を出力し、単極双投スイッチＳ１の第２端を導通するように制御する。アンテナ１００により受信された、第１の信号及び第２の信号の混合信号は、単極双投スイッチの第２端を通って、パワースプリッタ３００の入力端に入り、その場合に、パワースプリッタ３００は、第１の信号及び第２の信号の混合信号を、パワースプリッタ３００の第１の出力端及び第２の出力端を通して、第１の信号の処理バックエンド４００及び第２の信号の処理バックエンド５００に対して別々に転送する。その場合に、第１の信号の処理バックエンド４００及び第２の信号の処理バックエンド５００は、それぞれ受信された、第１の信号及び第２の信号の混合信号を、別々に処理する。実際のアプリケーションにおいて、第１の信号の処理バックエンド４００は、第２の信号をフィルタにより除去することができるとともに、第１の信号のみを維持することができ、そして、第２の信号の処理バックエンド５００は、第１の信号をフィルタにより除去することができるとともに、第２の信号のみを維持することができる。
【０１１２】
この実施例において、制御装置２００は、第１の信号の受信信号強度が第１のしきい値より小さいかどうか、及び／又は第１の信号の送信信号強度が第２のしきい値より大きいかどうかを判定し、判定の異なる結果に従って単極双投スイッチを制御する。もしサービス条件が満たされていないならば、制御装置２００は、アンテナ１００により受信された、第１の信号及び第２の信号の混合信号を、単極双投スイッチＳ１を使用することにより、第１の信号の処理バックエンド４００に導くか、又は、もしサービス条件が満たされているならば、制御装置２００は、アンテナ１００により受信された、第１の信号及び第２の信号の混合信号を、単極双投スイッチＳ１を使用することにより、パワースプリッタ３００に導くとともに、第１の信号及び第２の信号の混合信号を、パワースプリッタ３００を使用することにより、第１の信号の処理バックエンド４００及び第２の信号の処理バックエンド５００に対して別々に転送する。このようにして、共有帯域を有する２つの信号は、２つの信号が同時に動作する場合にアンテナを共有することができるとともに、より高い優先度を有する信号のサービス条件が、保証されることができる。したがって、ユーザエクスペリエンスが改善される。
【０１１３】
本発明のこの実施例における制御装置は、端末のベースバンドプロセッサであり得るとともに、ベースバンドプロセッサは、論理制御インタフェースを使用することにより、単極双投スイッチに対して第１の電圧又は第２の電圧を出力する、ということが注意されるべきである。実際のアプリケーションにおいて、ベースバンドプロセッサは、動作しているプログラムに従って論理制御インタフェースを使用することにより、単極双投スイッチに対して第１の電圧又は第２の電圧を出力し得る。
【０１１４】
制御装置の位置は、図７における位置に限定されない、ということが更に注意されるべきである。実際のアプリケーションにおいて、図７における制御装置２００は、独立した制御装置であり得るか、又は、制御装置、第１の信号の処理バックエンド４００及び第２の信号の処理バックエンド５００は、同様に、大きなプロセッサを形成し得る。
【０１１５】
都合が良くそして簡潔な記述のために、前述のシステム、装置及びユニットの詳細な作業処理については、前述の方法の実施例における対応する処理に対して参照が行われ得るとともに、詳細は再度ここでは説明されない、ということが当業者によって明らかに理解され得る。
【０１１６】
さらに、本発明の実施例における機能ユニットは１つの演算処理装置に統合され得るか、又は、それぞれのユニットは物理的に単独で存在し得るか、又は、２つ以上のユニットは１つのユニットに統合される。統合されたユニットは、ハードウェアの形式で実施され得るか、又は、ソフトウェア機能ユニットの形式で実施され得る。
【０１１７】
統合されたユニットがソフトウェア機能ユニットの形式で実施されるとともに、独立した製品として販売されるか又は使用される場合に、統合されたユニットはコンピュータ読み取り可能な記憶媒体に記憶され得る。そのような理解に基づくと、本発明の技術的解決法は本質的に、又は、従来技術に貢献する部分は、又は、技術的解決法の全て若しくはいくつかは、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）に、本発明の実施例において説明された方法のステップの全て又はいくつかを実行するように指示するためのいくらかの命令を含む。前述の記憶媒体は、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク又は光ディスクのような、プログラムコードを記憶することができるあらゆる媒体を含む。
【０１１８】
前述の実施例は、単に本発明の技術的解決法を説明するように意図されているに過ぎず、本発明を限定するように意図されていない。前述の実施例を参照して本発明が詳細に説明されたが、当業者は、本発明の実施例の技術的解決法の精神及び範囲から逸脱することなく、前述の実施例において説明された技術的解決法にさらに修正を行い得るか、又は、それらのいくつかの技術的特徴に等価な置換を行い得る、ということを理解すべきである。
【図１】
0006347843.tif 000002
【図２】
0006347843.tif 000003
【図３】
0006347843.tif 000004
【図４】
0006347843.tif 000005
【図５】
0006347843.tif 000006
【図６】
0006347843.tif 000007
【図７】
0006347843.tif 000008